(57)【要約】【課題】部品や部品数を少なくし、施工を煩瑣にすることがない屋根材の接合構造を提供すること。また、雨水の流れを邪魔するような段差が生じない防水性に優れた屋根材の接合構造を提供すること。【解決手段】屋根の上方側に位置する屋根材１ｂの端部が下方側の屋根材１ａの端部の上になるように重ね合わされ、この屋根材の重ね合わせ部分の間に間隔をおいてバックアップ材２、２が介在され、このバックアップ材２、２と屋根材１ａ、１ｂで囲まれた空間に上側の屋根材１ｂに穿設された注入孔１１からコーキング材３が注入されて充填されている。【選択図】　　　　図１
2004124430.tif 000002
【特許請求の範囲】
【請求項１】
隣接する屋根材の端部が重ね合わされて接合された屋根材の接合構造であって、屋根の上方側に位置する屋根材の端部が下方側の屋根材の端部の上になるように重ね合わされ、隣接する屋根材の重ね合わせ部分の間に間隔をおいてバックアップ材が介在され、このバックアップ材と屋根材で囲まれた空間に上側の屋根材に穿設された注入孔からコーキング材が注入されて充填されていることを特徴とする屋根材の接合構造。
【請求項２】
屋根材が屋根下地材にビス又は釘等より固定されていることを特徴とする請求項１記載の屋根材の接合構造。
【請求項３】
屋根材の端部が折り返され、その折り返し部が互いにかみ合って屋根材の端部が重ね合わされていることを特徴とする請求項１又は２記載の屋根材の接合構造。
【請求項４】
屋根材が折板であり、注入孔が折板の頂部又は側壁部に穿設されていることを特徴とする請求項１又は２記載の屋根材の接合構造。
【請求項５】
隣接する屋根材の端部を重ね合わせて接合する屋根材の接合方法であって、一方の屋根材の端部に間隔をおいてバックアップ材を取着し、この屋根材と他方の屋根材とを、屋根の上方側に位置する屋根材の端部が上になるように重ね合わせるか、又はそれぞれの屋根材の端部に一条のバックアップ材を取着し、この屋根材を、屋根の上方側に位置する屋根材の端部が上になるように重ね合わせることにより、屋根材の重ね合わせ部分に間隔をおいてバックアップ材を介在させて屋根材とバックアップ材で囲まれた空間を形成し、この空間に、上側の屋根材の端部に穿設した注入孔からコーキング材を充填することを特徴とする屋根材の接合方法。
【発明の詳細な説明】
【０００１】
【発明の属する技術分野】
この発明は、防水性に優れた屋根材の接合構造及び屋根材の接合方法に関する。
【０００２】
【従来の技術】
建物の外回りに用いられる建材の接合には、雨水が漏れないような防水性が求められる。例えば、雨樋の接合に、隣接する樋本体相互の端部をこれらの端部に載置されていたジョイント板で接合する方法でおいて、ジョイント板と樋本体との相互間に所定の間隔を保った一対のバックアップ材を樋本体の端縁とほぼ平行に設け、かつ前記一対のバックアップ材の相互間に対応するジョイント板の所定位置に貫通孔を穿設し、更にこの貫通孔から前記樋本体とジョイント板と一対のバックアップ材とで囲まれたシーリング通路にシーリング剤を充填することによって接合部をシールした雨樋の接合方法が知られている（例えば、特許文献１参照。）。
【０００３】
【特許文献１】
特開平０６−９８７５７号公報（特許請求の範囲の欄他）
【０００４】
【発明が解決しようとする課題】
上記従来の雨樋の接合方法においては、別部品のジョイント板を用い、このジョイント板を隣接する樋本体相互の端部に載置するものであるので、隣接する樋本体の端部間には隙間が生ずる。そのため、樋本体の端部のそれぞれに一対のバックアップ材を設けることになり、一か所の接合部で、二対のバックアップ材、合計４個のバックアップ材を使用することになる。
【０００５】
このように、ジョイント板と、二対のバックアップ材を用意すると、それだけ部品や部品数が多くなり、ジョイント板と樋本体との間に段差が生じたりするが、雨水をある程度貯めて流す溝形であって、幅狭の長尺の雨樋のような建材では、接合箇所も狭く少ないので、費用や施工性等はそれほど問題がなく、段差も雨水の流れにも問題がない。
【０００６】
しかし、敷設面積が雨樋に比べ格段に広い屋根材にあっては、その接合箇所や接合部分の面積が多く、別途ジョイント板を用いることや、接合個所毎に二対のバックアップ材を用いるのは、部品数も多くなり費用が嵩み、施工の際の作業が煩雑さとなる。また、ジョイント板により生ずるような段差が屋根にあると、雨水の流れを阻害して漏水の原因になり易い。
【０００７】
この発明は、上記の問題を解消しようとするものであり、別途ジョイント板を用いることなく、接合個所毎に二対のバックアップ材を用いることなく、部品や部品数を少なくし、施工を煩瑣にすることがない屋根材の接合構造や屋根材の接合方法を提供することを目的とする。また、雨水の流れを邪魔するような段差が生じない防水性に優れた屋根材の接合構造や屋根材の接合方法を提供することを目的とする。
【０００８】
【課題を解決するための手段】
請求項１記載の屋根材の接合構造は、隣接する屋根材の端部が重ね合わされて接合された屋根材の接合構造であって、屋根の上方側に位置する屋根材の端部が下方側の屋根材の端部の上になるように重ね合わされ、隣接する屋根材の重ね合わせ部分の間に間隔をおいてバックアップ材が介在され、このバックアップ材と屋根材で囲まれた空間に上側の屋根材に穿設された注入孔からコーキング材が注入されて充填されていることを特徴としている。
【０００９】
請求項２記載の屋根材の接合構造は、請求項１記載の屋根材の接合構造において、屋根材が屋根下地材にビス又は釘等より固定されていることを特徴としている。
【００１０】
請求項３記載の屋根材の接合構造は、請求項１又は２記載の屋根材の接合構造において、屋根材の端部が折り返され、その折り返し部が互いにかみ合って屋根材の端部が重ね合わされていることを特徴としている。
【００１１】
請求項４記載の屋根材の接合構造は、請求項１又は２記載の屋根材の接合構造において、屋根材が折板であり、注入孔が折板の頂部又は側壁部に穿設されていることを特徴としている。
【００１２】
請求項５記載の屋根材の接合方法は、隣接する屋根材の端部を重ね合わせて接合する屋根材の接合方法であって、一方の屋根材の端部に間隔をおいてバックアップ材を取着し、この屋根材と他方の屋根材とを、屋根の上方側に位置する屋根材の端部が上になるように重ね合わせるか、又はそれぞれの屋根材の端部に一条のバックアップ材を取着し、この屋根材を、屋根の上方側に位置する屋根材の端部が上になるように重ね合わせることにより、屋根材の重ね合わせ部分に間隔をおいてバックアップ材を介在させて屋根材とバックアップ材で囲まれた空間を形成し、この空間に、上側の屋根材の端部に穿設した注入孔からコーキング材を充填することを特徴としている。
【００１３】
（作用）
請求項１記載の屋根材の接合構造にあっては、屋根の上方側に位置する屋根材の端部が下方側の屋根材の端部の上になるように重ね合わされ、隣接する屋根材の重ね合わせ部分の間に間隔をおいてバックアップ材が介在されているので、ジョイント板のような部品を用いることなく、接合個所に一対のバックアップ材でよく、部品や部品数が少なくなり、施工作業がそれほど煩瑣でない。また、雨水が流れを邪魔するような段差がなく、漏水の恐れが少ない。
【００１４】
そして、バックアップ材と屋根材で囲まれた空間に上側の屋根材に穿設された注入孔からコーキング材が注入されて充填されているので、その接合部の水密性が優れたものとなっている。
【００１５】
請求項２記載の屋根材の接合構造にあっては、請求項１記載の発明と同様の作用を奏するとともに、屋根材が屋根下地材にビス又は釘等より固定されているので、屋根材が屋根部から脱離する恐れがない。
【００１６】
請求項３記載の屋根材の接合構造にあっては、請求項１又は２記載の発明と同様の作用を奏するとともに、屋根材の端部が折り返され、その折り返し部が互いにかみ合って屋根材の端部が重ね合わされているので、屋根同士の接合がさらに強固なものとなっている。
【００１７】
請求項４記載の屋根材の接合構造にあっては、請求項１又は２記載の発明と同様の作用を奏するとともに、屋根材が折板であり、注入孔が折板の頂部又は側壁部に穿設されているので、コーキング材の注入作業が容易である。
【００１８】
請求項５記載の屋根材の接合方法にあっては、一方の屋根材の端部に間隔をおいてバックアップ材を取着し、この屋根材と他方の屋根材とを、屋根の上方側に位置する屋根材の端部が上になるように重ね合わせるか、又はそれぞれの屋根材の端部に一条のバックアップ材を取着し、この屋根材を、屋根の上方側に位置する屋根材の端部が上になるように重ね合わせるので、屋根材の重ね合わせ部分に屋根材とバックアップ材で囲まれた空間を容易に形成でき、この空間に、上側の屋根材の端部に穿設した注入孔からコーキング材を充填するので、ジョイント板のような部品を用いることなく、接合個所に一対のバックアップ材でよく、部品や部品数を少なくなり、接合作業が容易かつ確実に行える。
【００１９】
【発明の実施の形態】
この発明の実施の形態を図面の実施例に基づいて説明する。
【００２０】
（実施例１）
図１は、この発明の屋根材の接合構造と接合方法の実施例を示すものであって、（Ａ）は屋根の傾斜面に沿って接合された屋根材を示す断面図、（Ｂ）は屋根の水平方向に沿って接合された屋根材を示す平面図、（Ｃ）は屋根の傾斜面に沿った屋根材の接合方法を示す斜視図、図２は、図１（Ｃ）に示した屋根材の接合方法の変形例を示すものであって、（Ａ）は屋根材を重ね合わせる状態を示す断面図、（Ｂ）は屋根材を重ね合わせて接合した状態を示す断面図である。
【００２１】
図１及び図２において、１ａ〜１ｆは屋根材、２はバックアップ材、３はコーキング材、４はビス、５は屋根下地である。
【００２２】
屋根材１ａ〜１ｃは、屋根の傾斜に沿って接合されるものであり、図１（Ａ）に示すように、屋根材１ａの下流側（下方側）に屋根材１ｃが接合され、上流側（上方側）に屋根材１ｂが接合されている。
【００２３】
屋根材１ａと屋根材１ｃとの接合部では、上流側（上方側）の屋根材１ａの端部が下流側（下方側）の屋根材１ｃの端部に対して上になるように重ね合わされ、その重ね合わせ部分の間に間隔をおいてバックアップ材２、２が介在され、このバックアップ材２、２と屋根材１ａ、１ｃで囲まれた空間にコーキング材３が充填されて接合されている。
【００２４】
同様に、屋根材１ａと屋根材１ｂとの接合部では、上流側（上方側）の屋根材１ｂの端部が下流側（下方側）の屋根材１ａの端部に対して上になるように重ね合わされ、その重ね合わせ部分の間に間隔をおいてバックアップ材２、２が介在され、このバックアップ材２、２と屋根材１ａ、１ｃで囲まれた空間にコーキング材３が充填されて接合されている。
【００２５】
屋根材１ａ、１ｃの上流側（上方側）の端部は、ビス４によって屋根下地５に固定されている。なお、図示していないが、屋根材１ｂの上流側（上方側）の端部も、ビスによって屋根下地５に固定される。屋根下地５への固定には、ビス４の他、釘等の固定具を用いることができる。
【００２６】
屋根材１ｄ〜１ｆは、屋根材１ａに対して屋根の水平方向に沿って接合されるものであり、図１（Ｂ）に示すように、屋根材１ａの左側に屋根材１ｄの端部が重ね合わされ、屋根材１ａの右側に屋根材１ｅの端部が重ね合わされ、それぞれの重ね合わせ部分の間に間隔をおいてバックアップ材２、２が介在され、バックアップ材２、２と屋根材１ａ、１ｄ又は１ａ、１ｅで囲まれた空間に、注入孔１２から注入されたコーキング材３が充填されて接合されている。
【００２７】
同様に、屋根材１ｅの右側に屋根材１ｆの端部が重ね合わされ、その重ね合わせ部分の間に間隔をおいてバックアップ材２、２が介在され、バックアップ材２、２と屋根材１ａ、１ｄ又は１ａ、１ｅで囲まれた空間に、注入孔１２から注入されたコーキング材３が充填されて接合されている。
【００２８】
次に、屋根の傾斜に沿って接合される屋根材１ａ〜１ｃの接合構造を形成する接合方法を、屋根材１ａと屋根材１ｂとの接合方法を例にとって、図１（Ｃ）を参照して説明する。
【００２９】
下流側（下方側）の屋根材１ａの端部に、間隔をおいて２条のバックアップ材２、２を貼着し、このバックアップ材２、２を上にして図１（Ａ）に示す屋根下地５の所定個所に載置し、バックアップ材２、２間に設けた取付孔１３、１３を利用し、図１（Ａ）に示すように、ビス４、釘等で屋根下地５に固定する。
【００３０】
次いで、屋根材１ａに貼着したバックアップ材２、２の上に、上流側（上方側）の屋根材１ｂの端部を重ね合わせる。こうして、屋根材１ａ、１ｂの重ね合わせ部分に間隔をおいてバックアップ材２、２が介在し、屋根材１ａ、１ｂとバックアップ材２、２で囲まれた空間が形成される。この空間に、上側の屋根材１ｂの端部に穿設した注入孔１１から、図１（Ａ）に示すように、コーキング材３を注入して充填して屋根材１ａ、１ｂの接合が完了する。
【００３１】
上記注入孔１１は、３個が穿設されているが、それぞれの注入孔１１からコーキング材３を注入してもよいが、例えば中央の注入孔１１のみからコーキング材３を注入すれば、空間内にコーキング材３が十分に充満すると、両側の注入孔１１にコーキング材３が露出し始めるので、その点を観察するようにすれば、コーキング材の注入の過不足を防ぐことができ、好ましい。このような場合、注入孔１１を３個ではなく、２個であってもよいことは勿論である。
【００３２】
屋根材１ａの端部に、間隔をおいて２条のバックアップ材２、２を貼着する上記の方法に代えて、図２に示すような接合方法によってもよい。
【００３３】
すなわち、それぞれの屋根材１ａ、１ｂの端部に一条のバックアップ材２を取着し、一方の屋根材１ａを、屋根の下流側（下方側）に位置するものとしてバックアップ材２を上に向けて、図示していない屋根下地の所定個所に載置してビス、釘等の固定具で固定する。
【００３４】
次いで、他方の屋根材１ｂを、屋根の上流側（上方側）に位置するものとしてバックアップ材２を下にして、上記屋根材１ａの上にバックアップ材２、２同士が所定間隔をとるように重ね合わせる。こうして、屋根材１ａ、１ｂの重ね合わせ部分に間隔をおいてバックアップ材２、２が介在し、屋根材１ａ、１ｂとバックアップ材２、２で囲まれた空間が形成される。
【００３５】
この空間に、コーキング材３を注入して充填して屋根材１ａ、１ｂの接合を完了することは、図１（Ｃ）に示す場合と同じであるので説明を省略する。
【００３６】
屋根の水平方向に沿って接合される屋根材１ａ、１ｄ〜１ｆの接合方法についても、上記の屋根材１ａと屋根材１ｂとの接合方法のいずれかの方法に準じた方法により接合すればよい。
【００３７】
（実施例１の作用）
ジョイント板のような部品を用いることなく、接合個所に一対のバックアップ材２、２でよいので、部品や部品数が少なくなり、施工作業がそれほど煩瑣でない。また、屋根の傾斜に沿って接合される屋根材１ａ〜１ｃは、上流側（上方側）に位置する屋根材（屋根材１ｃに対しては屋根材１ａ、屋根材１ａに対しては屋根材１ｂ）の端部が、下流側（下方側）に位置する屋根材（屋根材１ａに対しては屋根材１ｃ、屋根材１ｂに対しては屋根材１ａ）の端部の上になるように重ね合わされるので、屋根の上から流れる雨水を邪魔するような段差がなく、漏水の恐れが少ないものとなっている。
【００３８】
そして、屋根材の接合部はバックアップ材２、２でシールされる上に、さらにコーキング材でシールされるので、屋根材の接合部の水密性がさらに優れたものとなっている。また、屋根材１ａ、１ｃ等が屋根下地材５にビス４又は釘等により固定されているので、屋根材が屋根部から脱離する恐れがない。
【００３９】
（実施例２）
図３は、この発明の屋根材の接合構造の他の実施例を示す斜視図である。
図３において、１１０ａ、１１０ｂは屋根材、１１１ａは屋根材１１０ａの折り返し部、１１１ｂは屋根材１１０ｂの折り返し部である。
【００４０】
この実施例は、請求項３に係る発明の実施例であり、図３に示すように、隣接する金属瓦タイプの屋根材１１０ａ、１１０ｂの端部に、折り返し部１１１ａ、１１１ｂが設けられ、この折り返し部１１１ａ、１１１ｂが互いにかみ合って屋根材１１０ａ、１１０ｂの端部が重ね合わされたものとなっており、このことにより屋根材１１０ａ、１１０ｂの接合がさらに強固なものとなっている。
その他の構成等は、実施例１と実質的の同じであるので説明を省略する。
【００４１】
（実施例３）
図４は、この発明の屋根材の接合構造のさらに別の実施例を示す斜視図である。
図３において、１２０ａ、１２０ｂは屋根材、１２１はコーキング材の注入孔である。
【００４２】
この実施例は、請求項４に係る発明の実施例であり、図４に示すように、隣接する屋根材１２０ａ、１２０ｂは折板からなり、その側壁部にコーキング材の注入孔１２１が穿設されていること以外は実施例１と実質的の同じであるので説明を省略する。
【００４３】
【発明の効果】
請求項１記載の屋根材の接合構造にあっては、ジョイント板のような部品を用いることなく、接合個所に一対のバックアップ材でよく、部品や部品数が少なくなり、施工作業がそれほど煩瑣でない。また、雨水が流れを邪魔するような段差がなく、漏水の恐れが少ない。
【００４４】
そして、バックアップ材と屋根材で囲まれた空間に上側の屋根材に穿設された注入孔からコーキング材が注入されて充填されているので、その接合部の水密性が優れたものとなっている。
【００４５】
請求項２記載の屋根材の接合構造にあっては、請求項１記載の発明と同様の効果を奏するとともに、屋根材が屋根部から脱離する恐れがない。
【００４６】
請求項３記載の屋根材の接合構造にあっては、請求項１又は２記載の発明と同様の効果を奏するとともに、屋根材同士の接合がさらに強固なものとなっている。
【００４７】
請求項４記載の屋根材の接合構造にあっては、請求項１又は２記載の発明と同様の効果を奏するとともに、コーキング材の注入作業が容易となる。
【００４８】
請求項５記載の屋根材の接合方法にあっては、屋根材の重ね合わせ部分に屋根材とバックアップ材で囲まれた空間を容易に形成でき、この空間に、上側の屋根材の端部に穿設した注入孔からコーキング材を充填するので、ジョイント板のような部品を用いることなく、接合個所に一対のバックアップ材でよく、部品や部品数を少なくなり、接合作業が容易かつ確実に行える。
【図面の簡単な説明】
【図１】この発明の屋根材の接合構造と接合方法の実施例を示すものであって、（Ａ）は屋根の傾斜面に沿って接合された屋根材を示す断面図、（Ｂ）は屋根の水平方向に沿って接合された屋根材を示す平面図、（Ｃ）は屋根の傾斜面に沿った屋根材の接合方法を示す斜視図である。
【図２】図１（Ｃ）に示した屋根材の接合方法の変形例を示すものであって、（Ａ）は屋根材を重ね合わせる状態を示す断面図、（Ｂ）は屋根材を重ね合わせて接合した状態を示す断面図である。
【図３】この発明の屋根材の接合構造の他の実施例を示す斜視図である。
【図４】この発明の屋根材の接合構造のさらに別の実施例を示す斜視図である。
【符号の説明】
１ａ〜１ｆ　　屋根材
１１、１２　　注入孔
１３　　取付孔
２　　バックアップ材
３　　コーキング材
４　　ビス
５　　屋根下地
１１０ａ、１１０ｂ　　屋根材
１１１ａ、１１１ｂ　　折り返し部
１２０ａ、１２０ｂ　　屋根材
１２１　　注入孔
【図１】
2004124430.tif 000003
【図２】
2004124430.tif 000004
【図３】
2004124430.tif 000005
【図４】
2004124430.tif 000006